【手続補正書】
【提出日】平成17年2月3日(2005.2.3)
【手続補正１】
【補正対象書類名】特許請求の範囲
【補正対象項目名】全文
【補正方法】変更
【補正の内容】
【特許請求の範囲】
【請求項１】
試験問題と正答とを含む試験問題情報を貯蔵するための評価データベース、受験者のＩＤ番号及び受験番号を含むログイン情報を貯蔵するための受験者データベース、前記試験問題の処理を担当するプログラムを貯蔵するための運営データベース、及び受験者が試験を受けるようにするためにデータを転送して受信するためのサーバーシステムを含む評価システムと、  試験問題及び選択肢をコンピューターの画面に表示するためのディスプレーモジュール、前記評価システムから前記試験問題及び選択肢を転送受けてこれを貯蔵するための第１の貯蔵手段、前記試験問題が表示された後に制限された時間に選択された問題に対する多数の選択肢を表示するための試験運営モジュール、及び前記試験問題に対する前記受験者の答案を貯蔵するための答案貯蔵モジュールを含む受験者クライアントシステムと、  前記評価システム及び前記受験者クライアント間のデータ通信のためのネットワークとからなり、  前記運営データベースに貯蔵される前記プログラムは、前記コンピューターを用いてログイン情報を処理するためのログイン処理モジュールと、前記受験者がログインの際に用いたコンピューターの位置を探して、前記コンピューターに前記試験問題及び選択肢を転送するための試験問題転送モジュールと、受験者の答案を記録して、試験の結果を算出して、そして試験の結果を貯蔵するための第２の貯蔵手段とからなることを特徴とする、変形されたマルチョイシステム。
【請求項２】
前記ネットワークはインターネットであることを特徴とする、請求項１に記載の変形されたマルチョイシステム。
【請求項３】
更に、前記評価システムは、前記受験者のログイン情報を用いて前記試験の結果を前記受験者に提供するための結果転送モジュールを含むことを特徴とする、請求項１に記載の変形されたマルチョイシステム。
【請求項４】
前記評価システムは、前記コンピューターの位置を把握するために前記コンピューターのＩＰアドレスを用いることを特徴とする、請求項１に記載の変形されたマルチョイシステム。
【請求項５】
前記受験者クライアントシステムは、前記評価システムから前記ネットワークを通じて前記プログラムをダウンロードすることができることを特徴とする、請求項１に記載の変形されたマルチョイシステム。
【請求項６】
（ａ）評価システムから試験問題及び多数の選択肢を受信して貯蔵した後、前記試験問題を表示し、  （ｂ）受験者が表示された試験問題の中で一つの問題を選択すると、前記多数の選択肢を決まった時間にコンピューターの画面に表示して、そして受験者クライアントシステムに答案を貯蔵し、  （ｃ）試験終了信号が与えられると前記受験者の答案を、試験を主管する前記評価システムに転送するステップからなることを特徴とする、変形されたマルチョイの方法。
【請求項７】
更に、前記段階（ａ）は、前記受験者が前記試験問題を表示する番号の中から一つを選択すると、選択された問題を画面に表示するステップを含むことを特徴とする、請求項６に記載の変形されたマルチョイの方法。
【請求項８】
更に、前記試験方法は、（ｄ）転送された前記受験者の答案を評価して、その結果を前記受験者に通知するステップを含むことを特徴とする、請求項６に記載の変形されたマルチョイの方法。
【請求項９】
前記段階（ｂ）は、受験者が選択した選択肢をあらかじめ決められた時間内で他の選択肢に数回変形することができることを特徴とする、請求項６に記載の変形されたマルチョイの方法。
【手続補正２】
【補正対象書類名】明細書
【補正対象項目名】全文
【補正方法】変更
【補正の内容】
【発明の詳細な説明】
【発明の名称】コンピューターを用いた変形されたマルチョイシステム及びその方法
【技術分野】
【０００１】  本発明は、コンピューターを用いて受験者に試験及び評価を提供するシステム及び方法に関するものである。より具体的に、本発明はコンピューターを用いてマルチョイと短答型試験の長所を結合しようとする試しとして、受験者に、変形されたマルチョイを提供して、受験者の能力をより正確で信頼性あるように評価するシステム及び方法に関するものである。
【背景技術】
【０００２】  一般に、試験は、その人が何を習ったか、そして人の中で優れた知識を有する人を選別するための普遍的な手段として用いられている。【０００３】  このような試験には、各問題に対応する選択肢とともに問題が提供されるマルチョイ、与えられた問題に受験者が簡単な答えを書くようにする短答型試験、及び受験者が与えられた問題に対する答えを論述形式で書く論述型試験などの３種がある。【０００４】  論述型試験は、受験者の知識の程度を測定することができるという点で非常に有用であるが、採点者が、受験者が作成した答案を読んで理解することに時間がたくさんかかるし、採点が主観的であるため、同じ答案であるとしても採点者によって違う点数が付与されることができる。【０００５】  短答型試験は、論述型試験とは異なり、採点者による影響が相対的に少ない。また、受験者は正確な答えを知っているだけに答案を作成することができる。従って、受験者が推測により正確な答えを得ることが非常に難しい。しかし、採点者は各答案用紙をよくみなければならないので、採点に時間がたくさんかかる。【０００６】  マルチョイの場合には、受験者が各問題に与えられた選択肢の中で正答を選択する。時々選択肢はＯＭＲカード上に番号で表記されて、受験者は対応する番号を選択する。受験者の答案を採点することにコンピューターを使うことができるため、採点は非常に迅速になされて、受験者は試験の後にすぐ点数をもらって見ることもできる。しかし、マルチョイは与えられた選択肢の中で正答を選択するのであるため、受験者がただ選択肢だけを見て正答を推測することができる。更に、マルチョイは受験者が自身の考えを作り出す必要がないので、受験者の思考の範囲を縮小させる。それで、マルチョイは弁別力において限界がある。【０００７】  このような多様な類型の試験の中で、マルチョイは採点の便利さのため、続いて用いられている。【０００８】  最近コンピューター技術の急速な発展によって、コンピューター化教育評価及び心理テストが全世界的に拡散されている。コンピューターは採点だけでなく問題を提示することにも用いられる。ある問題はコンピューターの画面上の絵、音声及び動映像のようなマルチメディアを用いて提供される。一番最近、ＣＡＴ（コンピューター適応形検査）が紹介されたことがあるが、これは受験者が答えをしたとき、正答を当てたかどうかの可否によって次の問題が提供されるようにするのである。これは、受験者が正答を知っているか、またはただ推測によって答えをしたかを判断することに役に立つ。問題の水準は受験者の遂行能力によって決定される。このような種類の試験は、出題者が相対的に少ない問題の数で受験者の知識を測定することができるようにする。しかし、この方法は膨大な問題銀行を必要として、試験の出題者は各問題の難易度の水準を割り当てるなどの面倒な作業をしなければならない。【０００９】  尚、このようなコンピューター化試験方法は選択肢から正答を推測し出すという問題点を解決することができない。
【発明の開示】
【発明が解決しようとする課題】
【００１０】  本発明は、前述した問題点を解決するためのとして、本発明の目的は、受験者が短答型問題を解くように、問題を提示して、一定時間提供される選択肢を用いて問題を解くようにすることにより、マルチョイと短答型試験との長所を統合することができる変形されたマルチョイシステム及びその方法を提供することにある。【００１１】  本発明の他の目的は、マルチョイの問題に対応して提供される選択肢を、短い時間だけ提供することで、選択肢のみを見て正答を推測し出すことができないため、効率的に受験者の実力を評価することができる、変形されたマルチョイシステム及びその方法を提供することにある。【００１２】  本発明のまた他の目的は、相対的に少ない問題でも受験者の実力を評価することができる、変形されたマルチョイシステム及びその方法を提供することにある。【００１３】  本発明のまた他の目的は、コンピューター化されていて採点の過程が公正な、変形されたマルチョイシステム及びその方法を提供することにある。
【課題を解決するための手段】
【００１４】  本発明の一つの特徴によると、変形されたマルチョイシステムは、評価システム、受験者クライアントシステム及びネットワークからなる。前記評価システムは、試験問題と正答を含む試験問題情報を貯蔵するための評価データベース、受験者のＩＤ番号及び受験番号を含むログイン情報を貯蔵するための受験者データベース、試験問題の処理を担当するプログラムを貯蔵するための運営データベース及び受験者が試験を受けるようにデータを転送して受信するためのサーバーシステムからなる。前記受験者クライアントシステムは、コンピューターに設けられて試験問題と選択肢とをコンピューターの画面に表示するためのディスプレーモジュール、試験問題と選択肢とを前記評価システムから転送受けてこれを貯蔵するための第１貯蔵手段、試験問題が選択された後、制限された時間に選択された問題に対する多数の選択肢を表示するための試験運営モジュール及び前記試験問題に対する前記受験者の答案を記録するための答案貯蔵モジュールを含む。インターネットのような前記ネットワークは、前記評価システムと受験者クライアントシステム間のデータ通信のためである。【００１５】  本発明の他の特徴によると、変形されたマルチョイの方法が提供される。このような方法は数段階からなるが、一つ目の段階は、評価システムから試験問題と複数の選択肢を転送受けて貯蔵した後、前記試験問題を表示する段階である。二つ目の段階では、受験者が表示された試験問題の中で一つの問題を選択すると、あらかじめ決まれた時間に選択肢を表示して、問題に対する答案を受験者クライアントシステムに貯蔵する。三つ目の段階では、試験終了信号が入力されると受験者の答案をネットワークを通じて試験を統制する評価システムに転送する。【００１６】  受験者はまず問題だけが与えられるため、まるで短答型問題を解くように問題を解くべきである。受験者が解こうとする問題を選択すると、問題に該当する選択肢は短い時間だけに表示される。受験者は与えられた時間内に正答を選択しなければならない。
【発明の効果】
【００１７】  本発明の長所は次のようである。【００１８】  一つ、受験者が一人で可能な正答を思い出さなければならないので、マルチョイの問題が受験者の思考を制限するという一般の批判を除去することができる。二つ、選択肢が短い時間だけに提示されるため、選択肢のみを見て正答を推測し出すという問題点を解決する。三つ、マルチョイのように採点が易くて客観的である。四つ、選択肢が短い時間だけに提示されるので、試験出題者が選択肢を作りやすいです。更に、マルチョイより試験内容に対する記憶力を強化させる。正答を難しく考え出すほど記憶力が強化されるという点はよく知られた事実である。
【発明を実施するための最良の形態】
【００１９】  本発明の目的及び他の長所は、添付された図面とともに次の詳細な説明からより明確になる。【００２０】  図１は、本発明に係る変形されたマルチョイシステムの概略図を表している。前記システムは、受験者が受験者クライアントシステムのコンピューターを用いて試験を受けることができるように試験問題を表示するようにする一つまたはその以上の受験者クライアントシステム（１０）、受験者に問題を転送して受験者の採点の結果を転送するデータ通信のためのネットワーク（２０）、及び前記ネットワーク（２０）により前記受験者クライアントシステム（１０）に連結された評価システム（３０）からなる。【００２１】  本発明のそれぞれの受験者クライアントシステム（１０）は、受験者が試験を受ける時に用いるコンピューターを含む。前記受験者クライアントシステム（１０）は、受験者が試験問題を受けて見るように前記評価システム（３０）から問題を受信して、受験者の答案を記録し、そしてその答案を前記評価システム（３０）に転送する。更に、前記受験者クライアントシステム（１０）は、受験者が試験点数を見ることができるように前記評価システム（３０）から試験の点数を受信する。【００２２】  試験問題と選択肢をコンピューターの画面に表示するため、前記受験者クライアントシステム（１０）はディスプレーモジュールを備える。前記ディスプレーモジュールはコンピューターに設けられる。前記評価システム（３０）から受信した問題及び選択肢は、前記受験者クライアントシステム（１０）の第１貯蔵手段に貯蔵される。前記受験者クライアントシステム（１０）の試験運営モジュールは問題が選択されると制限された時間に選択肢を表示するようにする。前記受験者クライアントシステム（１０）の答案貯蔵モジュールは試験問題に対する受験者の答案を記録して貯蔵する。【００２３】  それぞれの受験者クライアントシステム（１０）は、唯一に割り当てられた番号と受験者のログイン情報を有し、受験者がログインして前記評価システム（３０）に接続すると、前記受験者クライアントシステムの番号は評価システム（３０）に転送される。【００２４】  本発明の前記評価システム（３０）は、ネットワーク（２０）を通じて前記受験者クライアントシステム（１０）に連結され、受験者のＩＤ番号、受験番号などを含むログイン情報を貯蔵するための受験者データベース（３４）、試験問題に対する情報を貯蔵するための評価データベース（３５）及び前記評価システムの運営プログラムを貯蔵するための運営データベース（３６）からなる。また、前記評価システムは、受験者クライアントシステム（１０）から受験者が作成した答案を転送して、当該答案で試験を評価するためのサーバーシステム（３２）を含む。【００２５】  前記評価システム（３０）は、受験者クライアントシステム（１０）のコンピューターの物理的な番号を認識して、それぞれの受験者クライアントシステム（１０）からその時その時選択される問題と選択肢を転送する。【００２６】  前記受験者クライアントシステム（１０）及び評価システム（３０）は、通常的にネットワーク（３０）を通じて連結され、受験者は与えられたコンピューターの端末機を通じて試験��受けなければならない。しかし、必要な場合には前記評価システム（３０）及び受験者クライアントシステム（１０）はインターネットのような公衆通信網を通じて連結されることができ、受験者は自身が望むコンピューターに必要なプログラムをダウンロード受けることにより、望む場所で試験に応ずることができる。【００２７】  前記評価システム（３０）の運営データベース（３６）に貯蔵されるプログラムは、ログイン処理モジュール、試験問題転送モジュール、第２貯蔵手段及び結果転送モジュールを含む。前記ログイン処理モジュールは、受験者クライアントシステム（１０）のコンピューターからログイン情報を受信して、これを受験者データベース（３４）に貯蔵する。前記試験問題転送モジュールは、受験者がログインの際に用いたコンピューターのＩＰアドレスのような物理住所や番号を確認して前記コンピューターに試験問題と選択肢を転送する。第２貯蔵手段は、受験者の答案を記録して結果を算出し、その結果を貯蔵する。結果転送モジュールは、受験者データベース（３４）に貯蔵された受験者のログイン情報を用いて受験者に試験の結果を提供する。【００２８】  図２は、本発明に係る変形されたマルチョイの方法の具体的なプロセスを表すフローチャートである。受験者は、提供される問題の中で解こうとする問題を選択することができる。この時、選択された問題に対応する選択肢はあらかじめ決まれた短い時間だけに表示される。従って、受験者は正答をあらかじめ知っていないと、正確に正答を選択することができない。それで、出題者は受験者の知識をより正確に測定することができる。【００２９】  図２を参照して本発明をより詳細に説明すると次のようである。【００３０】  段階Ｓ１００において、受験者は受験者クライアントシステム（１０）のコンピューターを用いてログインする。ログイン情報は受験者の名前、受験番号などを含む。前記受験番号は受験者が試験に登録する時に付与された番号である。この番号は学校で受ける試験の場合、学生番号に代替することもできる。受験者クライアントシステム（１０）は受験者のログイン情報をネットワーク（２０）を通じて評価システム（３０）に転送する。同時に、前記受験者クライアントシステム（１０）はコンピューターのＩＤ番号を転送する。前記番号はコンピューターの端末機のＩＰアドレスまたはＬＡＮカードのＩＤ番号である。【００３１】  段階Ｓ１０５において、前記評価システム（３０）は受験者のログイン情報と受験者データベース（３４）に貯蔵された情報とを比較した後に受験者を認証して、受験者が評価システム（３０）に接続するように許可する。また、前記評価システム（３０）は受験者が用いるコンピューターのＩＤ番号を受験者データベース（３４）に貯蔵する。コンピューターの端末機に問題が発生すると、受験者は他のコンピューターの端末機を用いて再びログインしなければならなく、受験者データベース（３４）は新しいコンピューターの端末機のＩＤ番号を貯蔵する。【００３２】  段階Ｓ１１０において、前記評価システム（３０）は、受験者がログインに成功すると、評価データベース（３５）に貯蔵された試験問題類型の選択画面を受験者クライアントシステム（１��）に転送する。その後、受験者が用いるコンピューターの端末機には試験問題の選択画面が表示される。このような転送は受験者データベース（３４）に貯蔵されたコンピューターの端末機のＩＤ番号を用いてなされる。コンピューターと評価システム（３０）との間のすべての一連の通信はコンピューターの端末機のＩＤ番号を用いて遂行される。【００３３】  段階Ｓ１１５において、受験者は試験問題類型の画面を見て問題類型を選択する。問題類型の選択は選択事項であり、すべての試験が同一な形式で進行されることもできる。【００３４】  段階Ｓ１２０において、評価システム（３０）は受験者が選択した問題類型を決定して、評価データベース（３５）に貯蔵された試験問題とこれに対応する選択肢を受験者クライアントシステム（１０）に転送する。【００３５】  段階Ｓ１２５において、受験者が問題番号にマウスを位置させると、対応する問題が画面に表示される。試験問題は図３のように表示される。受験者は問題を選択する前に、何の問題番号の上にマウスを持って置くことができる。受験者が問題を選択すると、受験者クライアントシステムはコンピューターの画面に選択された問題を表示する。【００３６】  段階Ｓ１３０において、受験者は表示された問題に対して答える準備になると始めの信号を送ることにより、選択肢を見せることを要請する。その後、受験者クライアントシステム（１０）はコンピューターの画面に与えられた時間に多数の選択肢を表示する。選択肢が表示される時間は受験者の歳や選択肢の長さなどのような要素によって決定される。【００３７】  段階Ｓ１３５において、受験者クライアントシステム（１０）は受験者が多数の選択肢から正答を選択した場合、受験者の答案を記録して貯蔵する。与えられた時間内に、受験者は彼の答案を他の選択肢に変形することもできる。選択肢が一旦なくなると、受験者はその以上答えを選択することができない。【００３８】  段階Ｓ１４０において、受験者がコンピューターの画面の問題番号を用いて次の問題を選択すると、受験者クライアントシステム（１０）は次の問題を表示する。【００３９】  段階Ｓ１４５において、受験者はすべての問題を解いてきたとき、受験者クライアントシステム（１０）を用いて試験終了信号を評価システム（３０）に転送することができる。受験者クライアントシステム（１０）は、受験者がその以上問題を選択したり、答案を記録することができないようにする。また、あらかじめ決まれた試験時間がみんな過ぎると、評価システム（３０）は試験終了信号を発生させて、これを受験者クライアントシステム（１０）に転送する。受験者クライアントシステム（１０）は受験者が問題を選択し得なくして、問題選択信号や選択肢入力信号に応答できない。受験者はその以上答案を記録することができない。【００４０】  段階Ｓ１５０において、試験終了信号が発生すると、受験者クライアントシステム（１０）は評価システム（３０）に採点を遂行するように要請し、貯蔵された答案を評価システム（３０）に転送する。【００４１】  段階Ｓ１５５において、評価システム（３０）が受験者クライアントシステム（１０）から採点要請信号と受験者の答案とを受信すると、評価システ��（３０）は評価データベース（３５）に貯蔵された正答データを読んできて、受験者の答案を評価して、そして採点の結果を算出する。採点の結果は各受験者の試験点数、各問題に対する正確な答えと間違った答え、平均点数、最高点数、最低点数、当てた問題の百分率などを含む。評価システム（３０）は採点の結果を受験者データベース（３４）に貯蔵し、試験点数、各問題に対する正確な答えと間違った答え、平均点数、最高点数、最低点数、当てた問題の百分率などを知らせる。【００４２】  図３は、本発明の変形されたマルチョイシステムで提供される試験問題が提供されたコンピューター画面の例を表す。図４は、本発明の変形されたマルチョイシステムで提供される試験問題と選択肢とが提供された画面を表す。【００４３】  図３のように、問題４番“Ｊｅｆｆ  ｉｓ     ｈｉｓ  ｐｉｃｔｕｒｅ  ｔａｋｅｎ”がコンピューターの画面に表示されている。受験者が空いている線に適切な単語を考えたとき、画面の下の番号４をクリックすると、図４のように選択肢“１．ｍａｋｉｎｇ，２．ａｓｋｉｎｇ，３．ｌｅｔｔｉｎｇ，４．ｈａｖｉｎｇ”が表示される。同時に、画面の右側の上段にはあらかじめ決まれた選択肢の表示時間が表示される。例えば、問題４番に２０秒が与えられたら、“２０”が表示されてカウントダウンされる。２０秒が過ぎると選択肢は画面でなくなる。選択肢が表示される時間は受験者の歳または選択肢の長さのような多様な要素を考慮して、出題者があらかじめ決めておいたのである。【００４４】  本発明の変形されたマルチョイシステム及び方法によると、受験者は問題に対応する選択肢を短い時間だけに見ることができて、選択肢のみを見て正答を推測することができないようにする。受験者が正答を知らないと、与えられた選択肢で正答を選ぶのが相対的に難しい。従って、受験者は短答型試験の効果を有するマルチョイを受けることができるのである。【００４５】  本発明の単純な変形ないし変更はこの分野の通常の知識を有する者により容易に利用されることができ、このような変形や変更はすべて本発明の領域に含まれる。
【図面の簡単な説明】
【００４６】
【図１】本発明に係るコンピューターを用いた変形されたマルチョイシステムの概略図である。
【図２】本発明に係るコンピューターを用いた変形されたマルチョイ方法のプロセスを表すフローチャートである。
【図３】本発明の具体例によって、受験者クライアントに提供される問題が表示されたクライアントのコンピューターの画面を表したのである。
【図４】本発明の具体例によって、決まった時間に提供される選択肢が表示されたクライアントのコンピューターの画面を表したのである。
【符号の説明】
【００４７】  １０  受験者クライアントシステム  ２０  ネットワーク  ３０  評価システム  ３２  サーバーシステム  ３４  受験者データベース  ３５  評価データベース  ３６  運営データベース
【手続補正３】
【補正対象書類名】図面
【補正対象項目名】全図
【補正方法】変更
【補正の内容】
【図１】
2006504983.tif 000001
【図２】
2006504983.tif 000002
【図３】
2006504983.tif 000003
【図４】
2006504983.tif 000004